(57)【特許請求の範囲】
【請求項１】
二次元コードが印刷されたタクシーチケットと、
固有のＩＤ情報を有し、管理アプリがインストールされた携帯端末と、
前記携帯端末と通信可能に構成された管理サーバと、
を含み、
前記携帯端末は、
表示画面と、
前記二次元コードを読み取り、前記二次元コードのコード情報を取得する読取部と、
前記読取部が前記コード情報を取得したことをきっかけとして、前記管理アプリを起動させ、前記表示画面に第１ボタンおよび第２ボタンを表示させる起動部と、
前記管理アプリの起動後に入力情報を受け付ける入力部と、
前記入力部が受け付けた前記入力情報を、前記コード情報および前記ＩＤ情報に紐づけして前記管理サーバへ送信する通信部と、
を含み、
前記管理サーバは、
前記タクシーチケットのチケット情報を記憶する情報記憶部と、
前記通信部から受信した前記入力情報、前記コード情報および前記ＩＤ情報を、前記チケット情報に紐づけして前記情報記憶部に記憶させる情報処理部と、
を含み、
前記チケット情報には、前記タクシーチケットを識別するための識別情報と、前記タクシーチケットの利用限度額に関する金額情報と、前記タクシーチケットの有効期限に関する日付情報とが含まれ、
前記コード情報には、前記識別情報と、前記管理アプリを起動させるための情報とが含まれ、
前記表示画面において前記第１ボタンが選択された場合、
前記入力部は、前記入力情報として、前記タクシーチケットの利用限度額に関する第１金額情報と、前記タクシーチケットの有効期限に関する第１日付情報とを、前記チケット情報に含まれる前記金額情報の利用限度額および前記日付情報の有効期限の範囲内において受け付けるとともに、前記タクシーチケットの利用者に関する第１利用者情報を受け付け、
前記情報処理部は、前記情報記憶部に前記タクシーチケットの利用額、利用日および利用者に関する利用情報が記憶されている場合に、前記第１金額情報、前記第１日付情報および前記第１利用者情報と前記利用情報とを比較して、前記タクシーチケットの不正利用の判定処理を行う一方、
前記表示画面において前記第２ボタンが選択された場合、
前記入力部は、前記入力情報として、タクシー乗車料金に関する第２金額情報と、前記タクシーチケットの利用日に関する第２日付情報と、前記タクシーチケットの利用者に関する第２利用者情報とを受け付け、
前記情報処理部は、前記情報記憶部に前記利用情報が記憶されている場合に、前記第２金額情報、前記第２日付情報および前記第２利用者情報と前記利用情報とを比較して、前記タクシーチケットの不正利用の判定処理を行う
ことを特徴とするタクシーチケット運用システム。
【請求項２】
前記読取部は、前記タクシー乗車料金が記入された前記タクシーチケットを読み取って、前記タクシーチケットの画像データを生成し、前記画像データから前記第２金額情報を取得し、
前記入力部は、前記読取部から前記第２金額情報を受け付け、
前記通信部は、前記画像データを前記入力情報に含めて前記管理サーバへ送信することを特徴とする請求項１に記載のタクシーチケット運用システム。
【請求項３】
前記携帯端末は、現在位置に関する位置情報を取得するＧＰＳ部を含み、
前記通信部は、前記ＧＰＳ部で取得した前記位置情報を前記入力情報に含めて前記管理サーバへ送信することを特徴とする請求項１または２に記載のタクシーチケット運用システム。
【請求項４】
前記管理サーバは、経理処理部を含み、
前記経理処理部は、前記入力情報および前記利用情報に基づいて、前記ＩＤ情報ごとに前記利用額の集計を行い、かつ集計結果を閲覧可能な状態におく経費処理を行うことを特徴とする請求項１〜３のいずれか一項に記載のタクシーチケット運用システム。
【発明の詳細な説明】
【技術分野】
【０００１】
本発明は、タクシーチケット運用システムに関する。
【背景技術】
【０００２】
従来から、タクシー乗車料金の支払いには、紙媒体のタクシーチケットが用いられている（例えば、特許文献１参照）。タクシーチケットには有効期限や利用限度額が設定されているが、有効期限や利用限度額はタクシードライバーが目視で確認するため、有効期限が切れたタクシーチケットで支払いが行われたり、利用限度額を超えているにもかかわらずタクシーチケットで支払いが行われたりするという問題がある。
【０００３】
この問題を回避するためには、タクシーチケットに二次元コードを印刷し、タクシーに備えられた車載端末で二次元コードを読み取ることで、タクシーチケットの有効性を車載端末に判定させることが有効である。しかしながら、二次元コードを読み取り可能な車載端末を備えていないタクシーも多く存在するため、二次元コードが印刷されたタクシーチケットは広く普及していないという現状がある。
【先行技術文献】
【特許文献】
【０００４】
【特許文献１】特開２０１８−９２５６８号公報
【発明の概要】
【発明が解決しようとする課題】
【０００５】
本発明は上記事情に鑑みてなされたものであって、その課題とするところは、タクシーの車載端末の有無に関わらず、二次元コードが印刷されたタクシーチケットを利用可能なタクシーチケット運用システムを提供することにある。
【課題を解決するための手段】
【０００６】
上記課題を解決するために、本発明に係るタクシーチケット運用システムは、
二次元コードが印刷されたタクシーチケットと、
固有のＩＤ情報を有し、管理アプリがインストールされた携帯端末と、
前記携帯端末と通信可能に構成された管理サーバと、
を含み、
前記携帯端末は、
前記二次元コードを読み取り、前記二次元コードのコード情報を取得する読取部と、
前記読取部が前記コード情報を取得したことをきっかけとして、前記管理アプリを起動させる起動部と、
前記管理アプリの起動後に入力情報を受け付ける入力部と、
前記入力部が受け付けた前記入力情報を、前記コード情報および前記ＩＤ情報に紐づけして前記管理サーバへ送信する通信部と、
を含み、
前記管理サーバは、
前記タクシーチケットのチケット情報を記憶する情報記憶部と、
前記通信部から受信した前記入力情報、前記コード情報および前記ＩＤ情報を、前記チケット情報に紐づけして前記情報記憶部に記憶させる情報処理部と、
を含むことを特徴とする。
【０００７】
上記タクシーチケット運用システムにおいて、
前記入力部は、前記入力情報として、前記タクシーチケットの利用限度額に関する第１金額情報と、前記タクシーチケットの有効期限に関する第１日付情報と、前記タクシーチケットの利用者に関する第１利用者情報とを受け付けるよう構成できる。
【０００８】
上記タクシーチケット運用システムにおいて、
前記入力部は、前記入力情報として、タクシー乗車料金に関する第２金額情報と、前記タクシーチケットの利用者に関する第２利用者情報とを受け付けるよう構成できる。
【０００９】
上記タクシーチケット運用システムにおいて、
前記読取部は、前記タクシー乗車料金が記入された前記タクシーチケットを読み取って、前記タクシーチケットの画像データを生成し、前記画像データから前記第２金額情報を取得し、
前記入力部は、前記読取部から前記第２金額情報を受け付け、
前記通信部は、前記画像データを前記入力情報に含めて前記管理サーバへ送信するよう構成できる。
【００１０】
上記タクシーチケット運用システムにおいて、
前記携帯端末は、現在位置に関する位置情報を取得するＧＰＳ部を含み、
前記通信部は、前記ＧＰＳ部で取得した前記位置情報を前記入力情報に含めて前記管理サーバへ送信するよう構成できる。
【００１１】
上記タクシーチケット運用システムにおいて、
前記情報記憶部に、前記タクシーチケットの利用額、利用日および利用者の少なくとも１つに関する利用情報が記憶されている場合、
前記情報処理部は、前記入力情報と前記利用情報とを比較して、前記タクシーチケットの不正利用の判定処理を行うよう構成できる。
【００１２】
上記タクシーチケット運用システムにおいて、
前記管理サーバは、経理処理部を含み、
前記経理処理部は、前記入力情報および前記利用情報に基づいて、前記ＩＤ情報ごとに前記利用額の集計を行い、かつ集計結果を閲覧可能な状態におく経費処理を行うよう構成できる。
【発明の効果】
【００１３】
本発明によれば、タクシーの車載端末の有無に関わらず、二次元コードが印刷されたタクシーチケットを利用可能なタクシーチケット運用システムを提供することができる。
【図面の簡単な説明】
【００１４】
【図１】第１実施形態に係るタクシーチケット運用システムを示す図である。
【図２】第２実施形態に係るタクシーチケット運用システムを示す図である。
【発明を実施するための形態】
【００１５】
以下、添付図面を参照して、本発明に係るタクシーチケット運用システムの実施形態について説明する。
【００１６】
［第１実施形態］
図１に、本発明の第１実施形態に係るタクシーチケット運用システム１Ａを示す。タクシーチケット運用システム１Ａは、タクシーチケット１０と、管理アプリがインストールされた携帯端末２０Ａと、管理サーバ３０とを含む。
【００１７】
タクシーチケット１０は、「一括後払い式」のものであり、二次元コード１１およびタクシー乗車料金（利用額）等の必要事項を記入する記入欄が印刷されている。タクシーチケット１０を発行する発行者は、タクシーチケット１０の利用について契約した会員にタクシーチケット１０を提供する。
【００１８】
本実施形態では、会員は法人会員であり、タクシーチケット１０は、会員から会員の取引先の関係者に譲渡されるものとする。すなわち、本実施形態では、タクシーチケット１０の利用者は、会員の取引先の関係者である。
【００１９】
二次元コード１１は、例えば、ＱＲコード（登録商標）であり、一次元コードと比較して大量の情報を含むことができる。二次元コード１１に含まれるコード情報は、タクシーチケット１０を識別するための識別情報を含み、コード情報には管理アプリを起動させるための情報も含まれる。
【００２０】
携帯端末２０Ａは、会員が所有権を有し、かつ会員に属する各社員が所持するものである。携帯端末２０Ａには、携帯端末２０Ａを識別するための固有のＩＤ情報が付与されており、タクシーチケット１０を管理するための管理アプリがインストールされている。
【００２１】
携帯端末２０Ａは、例えばスマートフォンまたはタブレットであり、読取部２１と、起動部２２と、入力部２３と、通信部２４とを含む。
【００２２】
読取部２１は、二次元コード１１を読み取ることができるカメラで構成される。読取部２１は、二次元コード１１を読み取り、二次元コード１１からコード情報を取得する。
【００２３】
起動部２２は、ＣＰＵ、メモリ、ストレージ等で構成される。起動部２２は、読取部２１がコード情報を取得したことをきっかけとして、管理アプリを起動させ、携帯端末２０Ａの表示画面に管理アプリの画面を表示させる。
【００２４】
入力部２３は、管理アプリの起動後に、管理アプリの画面において入力情報を受け付けるよう構成される。本実施形態では、入力部２３は、入力情報として、タクシーチケット１０の利用限度額に関する第１金額情報と、タクシーチケット１０の有効期限に関する第１日付情報と、タクシーチケット１０の利用者（本実施形態では、会員の取引先の関係者）に関する第１利用者情報との入力を受け付ける。
【００２５】
通信部２４は、ネットワークを介して管理サーバ３０と通信を行うよう構成されている。例えば、通信部２４は、入力部２３が受け付けた入力情報を、二次元コード１１のコード情報および携帯端末２０ＡのＩＤ情報に紐づけして管理サーバ３０へ送信する。
【００２６】
管理サーバ３０は、発行者がタクシーチケット１０を管理するためのサーバであり、特定の条件下で、会員がアクセスできるよう構成されている。管理サーバ３０は、情報記憶部３１と、情報処理部３２と、経理処理部３３とを含む。
【００２７】
情報記憶部３１は、タクシーチケット１０のチケット情報と、携帯端末２０Ａから受信した入力情報、コード情報およびＩＤ情報と、タクシー事業者から（またはタクシー事業者から回収したタクシーチケット１０）から得られる利用情報とを記憶する。
【００２８】
チケット情報には、タクシーチケット１０を識別するための識別情報と、タクシーチケット１０の利用限度額に関する金額情報と、タクシーチケット１０の有効期限に関する日付情報と、タクシーチケット１０を提供した会員に関する会員情報とが含まれる。さらに、タクシーチケット１０を利用できる地域に関する場所情報が含まれていてもよい。
【００２９】
利用情報には、タクシーチケット１０の利用額、利用日および利用者の少なくとも１つに関する情報が含まれる。なお、タクシーに二次元コード１１を読み取り可能な車載端末が備えられている場合、少なくともタクシーチケット１０の利用額および利用日に関する利用情報は、車載端末から取得してもよい。
【００３０】
情報処理部３２は、携帯端末２０Ａから受信した入力情報、コード情報およびＩＤ情報を、対応するチケット情報に紐づけして情報記憶部３１に記憶させる。また、情報処理部３２は、入力情報と利用情報とを比較して、タクシーチケット１０の不正利用の判定処理を行う。
【００３１】
情報処理部３２は、判定処理として、入力情報に含まれる第１金額情報と利用情報に含まれる利用額の情報とを比較する第１判定処理と、入力情報に含まれる第１日付情報と利用情報に含まれる利用日の情報とを比較する第２判定処理と、入力情報に含まれる第１利用者情報と利用情報に含まれる利用者の情報とを比較する第３判定処理とを行う。
【００３２】
情報処理部３２は、第１判定処理、第２判定処理および第３判定処理の少なくとも１つの処理において、入力情報と利用情報とが一致しない場合、タクシーチケット１０が不正利用されていると判定する。タクシーチケット１０が不正利用されていると判定した情報処理部３２は、タクシーチケット１０の会員に不正利用の通知を行ってもよい。
【００３３】
経理処理部３３は、タクシーチケット１０の利用額に関する経費処理を行う。具体的には、経理処理部３３は、情報記憶部３１に記憶されている入力情報および利用情報に基づいて、ＩＤ情報ごとにタクシーチケット１０の利用額の集計を行い、かつ集計結果を会員が閲覧可能な状態におく。これにより、会員は、発行者からタクシーチケット１０の利用額に関する請求書が届く前に、タクシーチケット１０の利用額を知ることができる。
【００３４】
続いて、タクシーチケット１０の運用方法の一例について説明する。
【００３５】
タクシーチケット１０を提供された会員に属する社員（以下、「会員」という）は、携帯端末２０Ａの読取部２１で二次元コード１１を読み取り、携帯端末２０Ａの表示画面に管理アプリの画面を表示させる。管理アプリの画面には、第１ボタン（例えば、「チケットの譲渡」ボタン）が表示されている。
【００３６】
会員が第１ボタンを押すと、管理アプリの画面に入力情報の入力を受け付ける入力欄が表示される。会員は、入力欄に、タクシーチケット１０の利用限度額に関する第１金額情報と、タクシーチケット１０の有効期限に関する第１日付情報と、タクシーチケット１０の利用者に関する第１利用者情報とを入力する。これらの入力情報は、通信部２４によって管理サーバ３０へ送信され、情報記憶部３１に記憶される。
【００３７】
なお、入力部２３は、チケット情報に含まれる金額情報の範囲内において第１金額情報を受け付け、チケット情報に含まれる日付情報の範囲内において第１日付情報を受け付ける。換言すれば、入力部２３の入力欄には、金額情報の上限金額を超える金額、および日付情報の最終日よりも後の日付を入力することはできない。
【００３８】
会員は、入力情報を送信した後、タクシーチケット１０を利用者（本実施形態では、会員の取引先の関係者）に譲渡する。なお、会員は、タクシーチケット１０が利用される前であれば、管理サーバ３０にアクセスして入力情報を変更することができる。
【００３９】
利用者は、タクシーチケット１０を持ってタクシーに乗車し、タクシー乗車料金を精算する際に、タクシーチケット１０に必要事項（利用額、利用日および利用者）を記入してタクシードライバーに渡す。利用日および利用者については、会員が予め記入しておいても良い。
【００４０】
タクシーに二次元コード１１を読み取り可能な車載端末が備えられている場合、車載端末は、二次元コード１１を読み取ることで二次元コード１１からコード情報を取得し、タクシーチケット１０の利用額および利用日に関する利用情報をコード情報に紐付けして管理サーバ３０へ送信する。管理サーバ３０は、利用情報を受信すると、経理処理部３３で経理処理を行う。
【００４１】
一方、タクシーに二次元コード１１を読み取り可能な車載端末が備えられていない場合、タクシードライバーはタクシーチケット１０をタクシー事業所に持ち帰り、タクシー事業所に備えられたコンピュータ端末から利用情報を送信する。管理サーバ３０は、利用情報を受信すると、経理処理部３３で経理処理を行う。
【００４２】
タクシーの車載端末の有無に関わらず、後日、発行者はタクシードライバーが所属するタクシー事業者からタクシーチケット１０を回収し、タクシー乗車料金（利用額）を一括して会員に請求する。
【００４３】
結局、本実施形態に係るタクシーチケット運用システム１Ａでは、二次元コード１１を、会員が携帯端末２０Ａで管理アプリを起動させるために活用している。したがって、本実施形態に係るタクシーチケット運用システム１Ａによれば、タクシーの車載端末の有無に関わらず、二次元コード１１が印刷されたタクシーチケット１０を利用することが可能となる。
【００４４】
また、本実施形態に係るタクシーチケット運用システム１Ａでは、携帯端末２０Ａの入力部２３が、入力情報として、タクシーチケット１０の利用限度額に関する第１金額情報と、タクシーチケット１０の有効期限に関する第１日付情報と、タクシーチケット１０の利用者に関する第１利用者情報とを受け付け、管理サーバ３０の情報処理部３２が、入力情報と利用情報とを比較して、タクシーチケット１０の不正利用の判定処理を行う。したがって、本実施形態に係るタクシーチケット運用システム１Ａによれば、タクシーチケット１０の不正利用を抑制することができる。
【００４５】
［第２実施形態］
図２に、本発明の第２実施形態に係るタクシーチケット運用システム１Ｂを示す。タクシーチケット運用システム１Ｂは、タクシーチケット１０と、管理アプリがインストールされた携帯端末２０Ｂと、管理サーバ３０とを含む。タクシーチケット運用システム１Ｂの構成は、携帯端末２０ＢがＧＰＳ部２５を備えることを除いて、第１実施形態と共通する。
【００４６】
本実施形態では、会員は法人会員であり、タクシーチケット１０は、法人会員に属する社員（以下、「会員」という）が利用する。すなわち、本実施形態では、タクシーチケット１０を利用する利用者は、会員である。
【００４７】
ＧＰＳ部２５は、ＧＰＳ衛星からの電波を受信することで、携帯端末２０Ｂの現在位置に関する位置情報を取得する。例えば、利用者が管理アプリの画面に表示された位置情報取得ボタンを押下すると、ＧＰＳ部２５は、再度位置情報取得ボタンが押下されるか入力部２３が入力情報を受け付けるまで、所定の周期で位置情報を取得する。
【００４８】
利用者がタクシー乗車時に位置情報取得ボタンを押下し、降車時に再度位置情報取得ボタンを押下した場合、ＧＰＳ部２５は、タクシー乗車時における位置情報と、タクシー走行中における位置情報と、タクシー降車時における位置情報とを取得する。これらの位置情報は、通信部２４によって管理サーバ３０に送信される。
【００４９】
管理サーバ３０の情報処理部３２は、受信した位置情報に基づいて、タクシーの走行ルートを特定することができる。走行ルートは、経理処理部３３による利用額の集計結果とともに、閲覧可能な状態におかれる。
【００５０】
続いて、タクシーチケット１０の運用方法の一例について説明する。タクシーの走行ルートを特定については、上記のとおりなので、ここでは説明を省略する。
【００５１】
利用者である会員は、タクシーチケット１０を持ってタクシーに乗車し、タクシー乗車料金を精算する際に、携帯端末２０Ｂの読取部２１で二次元コード１１を読み取り、携帯端末２０Ｂの表示画面に管理アプリの画面を表示させる。管理アプリの画面には、第２ボタン（例えば、「チケットの利用」ボタン）が表示されている。
【００５２】
会員が第２ボタンを押すと、管理アプリの画面に入力情報の入力を受け付ける入力欄が表示される。会員は、入力欄に、タクシー乗車料金に関する第２金額情報と、タクシーチケットの利用日に関する第２日付情報と、タクシーチケットの利用者に関する第２利用者情報とを入力する。これらの入力情報は、入力部２３が受け付け、通信部２４によって管理サーバ３０へ送信される。また、会員は、タクシーチケット１０に必要事項（利用額、利用日および利用者）を記入してタクシードライバーに渡す。
【００５３】
ここで、入力情報の入力は、会員が手動で行ってもよいし、携帯端末２０Ｂの読取部２１を利用して行ってもよい。読取部２１は、上記の必要事項が記入されたタクシーチケット１０を読み取ることで、タクシーチケット１０の画像データを生成し、当該画像データから入力情報を取得する。入力部２３は、読取部２１が取得した入力情報を受け付ける（読取部２１から入力情報が入力される）。この場合、通信部２４は、タクシーチケット１０の画像データを入力情報に含めて管理サーバ３０へ送信してもよい。
【００５４】
タクシーに二次元コード１１を読み取り可能な車載端末が備えられている場合、車載端末は、二次元コード１１を読み取ることで二次元コード１１からコード情報を取得し、タクシーチケット１０の利用額および利用日に関する利用情報をコード情報に紐付けして管理サーバ３０へ送信する。管理サーバ３０は、利用情報を受信すると、経理処理部３３で経理処理を行う。
【００５５】
一方、タクシーに二次元コード１１を読み取り可能な車載端末が備えられていない場合、タクシードライバーはタクシーチケット１０をタクシー事業所に持ち帰り、タクシー事業所に備えられたコンピュータ端末から利用情報を送信する。管理サーバ３０は、利用情報を受信すると、経理処理部３３で経理処理を行う。
【００５６】
タクシーの車載端末の有無に関わらず、後日、発行者はタクシードライバーが所属するタクシー事業者からタクシーチケット１０を回収し、タクシー乗車料金（利用額）を一括して会員に請求する。
【００５７】
結局、本実施形態に係るタクシーチケット運用システム１Ｂは、二次元コード１１を、会員が携帯端末２０Ｂで管理アプリを起動させるために活用している。したがって、本実施形態に係るタクシーチケット運用システム１Ｂによれば、タクシーの車載端末の有無に関わらず、二次元コード１１が印刷されたタクシーチケット１０を利用することが可能となる。
【００５８】
また、本実施形態に係るタクシーチケット運用システム１Ｂでは、携帯端末２０Ｂの入力部２３が、入力情報として、タクシー乗車料金に関する第２金額情報と、タクシーチケットの利用日に関する第２日付情報と、タクシーチケットの利用者に関する第２利用者情報とを受け付け、管理サーバ３０の情報処理部３２が、入力情報と利用情報とを比較して、タクシーチケット１０の不正利用の判定処理を行う。
【００５９】
具体的には、情報処理部３２は、判定処理として、入力情報に含まれる第２金額情報と利用情報に含まれる利用額の情報とを比較する第１判定処理と、入力情報に含まれる第２日付情報と利用情報に含まれる利用日の情報とを比較する第２判定処理と、入力情報に含まれる第２利用者情報と利用情報に含まれる利用者の情報とを比較する第３判定処理とを行う。
【００６０】
したがって、本実施形態に係るタクシーチケット運用システム１Ｂによれば、タクシーチケット１０の不正利用を抑制することができる。
【００６１】
以上、本発明に係るタクシーチケット運用システムの実施形態について説明したが、本発明は上記実施形態に限定されるものではない。
【００６２】
例えば、本発明の携帯端末は、固有のＩＤ情報を有し、管理アプリがインストールされた携帯端末であって、二次元コードからコード情報を取得する読取部と、読取部がコード情報を取得したことをきっかけとして管理アプリを起動させる起動部と、管理アプリの起動後に入力情報を受け付ける入力部と、入力部が受け付けた入力情報をコード情報およびＩＤ情報に紐づけして管理サーバへ送信する通信部とを含むのであれば、適宜構成を変更できる。
【００６３】
本発明の管理サーバは、タクシーチケットのチケット情報を記憶する情報記憶部と、通信部から受信した入力情報、コード情報およびＩＤ情報をチケット情報に紐づけして情報記憶部に記憶させる情報処理部と、を含むのであれば、適宜構成を変更できる。
【符号の説明】
【００６４】
１Ａ、１Ｂ    タクシーチケット運用システム
１０    タクシーチケット
１１    二次元コード
２０Ａ、２０Ｂ    携帯端末
２１    読取部
２２    起動部
２３    入力部
２４    通信部
２５    ＧＰＳ部
３０    管理サーバ
３１    情報記憶部
３２    情報処理部
３３    経理処理部
【図１】
0006893007.tif 000002
【図２】
0006893007.tif 000003